(57)【要約】【課題】低消費電力に対応した効率の良い表示制御を行うことができ、また表示指定のための入力部の誤操作があったとしても無駄な電力の消費を防止することが可能な携帯端末装置およびその表示制御方法を提供する。【解決手段】第１の筐体と第２の筐体が閉状態とされると、キーフラグをセットしてサブ表示部１０９を一旦所定のパターンで表示させるものの、１０秒以上、サブ表示部１０９に所定のパターンを表示を指定する背面キー１１０の操作がないと強制的にキーフラグをリセットしてタイムアウトとして強制的に消灯（表示無しの状態に遷移）させる。これにより、低消費電力に対応した効率の良い表示制御を行うことができ、また発光時間を短くできる。【選択図】        図３
2008228358.tif 000002
【特許請求の範囲】
【請求項１】
複数の表示項目を表示可能な表示部と、
上記表示部における表示状態を指定可能な入力部と、
少なくとも上記表示項目の全てを表示する第１のパターンと、表示項目の一部を表示する第２のパターンとをもって上記表示部に表示項目の表示有りの状態で表示可能で、上記入力部が操作されるごとに、上記表示部の状態を上記第１のパターン、第２のパターン、および表示項目を表示しない表示無しの状態の第３のパターンをもって巡回的に遷移させる制御部と、を有し、
上記制御部は、上記第１のパターン、第２のパターン、または第３のパターンをもって上記表示部への表示を行っている場合、第１のパターン、第２のパターン、または第３のパターンの表示状態となってから所定時間の経過により強制的に表示無しの状態に遷移させる
ことを特徴とする携帯端末装置。
【請求項２】
上記入力部は、第１の入力パターンおよび第２の入力パターンをもって上記表示部における表示状態を指定可能で、
上記制御部は、
上記入力部が上記第１の入力パターンをもって操作されるごとに、上記表示部の状態を上記第１のパターン、第２のパターン、および第３のパターンをもって巡回的に遷移させ、
第１のパターン、第２のパターン、または第３のパターンの表示状態となってから所定時間の経過により強制的に表示無しの状態に遷移させた場合、上記入力部が第２の入力パターンをもって操作されると、上記表示部の状態を上記第１のパターンに遷移させる
ことを特徴とする請求項１に記載の携帯端末装置。
【請求項３】
第１の筐体と第２の筐体が開閉自在に構成され、
上記表示部および入力部は、上記第１の筐体と第２の筐体が閉状態にあっても露出する位置に配置されている
ことを特徴とする請求項１または２のいずれか一に記載の携帯端末装置。
【請求項４】
第１の筐体と第２の筐体が開閉自在に構成され、
上記表示部および入力部は、上記第１の筐体と第２の筐体が閉状態にあっても露出する位置に配置され、
上記制御部は、
第１のパターン、第２のパターン、または第３のパターンの表示状態となってから所定時間の経過により強制的に表示無しの状態に遷移させた場合、上記第１の筐体と第２の筐体の閉動作によって上記表示部の状態を上記第１のパターンに遷移させる
ことを特徴とする請求項１に記載の携帯端末装置。
【請求項５】
上記入力部は、キーの押下操作により表示部における表示状態を指定可能である
ことを特徴とする請求項１乃至４のいずれか一に記載の携帯端末装置。
【請求項６】
上記入力部はキーの押下操作により表示部における表示状態を指定可能であり、上記第１の入力パターンおよび第２の入力パターンは、キーの押下時間が異なり、第２の入力パターンにおけるキーの押下時間は、上記第１の入力パターンのキーの押下時間により長く設定されている
ことを特徴とする請求項２に記載の携帯端末装置。
【請求項７】
表示部に表示する表示項目を表示する携帯端末装置の表示制御方法であって、
所定の条件でフラグを付す第１ステップと、
上記フラグの有無を判別する第２ステップと、
上記第２ステップにおいてフラグ有りと判別した場合には、少なくとも上記表示項目の全てを表示する第１のパターンと、表示項目の一部を表示する第２のパターンとの表示有りの状態と、表示項目を表示しない第３のパターンとする表示無しの状態とを、キーを操作するごとに巡回的に遷移させる第３ステップと
を有することを特徴とする携帯端末装置の表示制御方法。
【請求項８】
上記第１ステップにおける所定の条件が、キーの長押しである
ことを特徴とする請求項７に記載の携帯端末装置の表示制御方法。
【請求項９】
上記第１ステップにおける所定の条件が、筐体の閉動作である
ことを特徴とする請求項７に記載の携帯端末装置の表示制御方法。
【請求項１０】
上記表示有り状態、または上記表示有り状態からキー操作により上記表示無し状態に遷移させた状態において、所定時間経過するとフラグ無しにする第４ステップをさらに有する
ことを特徴とする請求項７乃至９のいずれか一に記載の携帯端末装置の表示制御方法。
【発明の詳細な説明】
【技術分野】
【０００１】
本発明は、携帯電話機等の携帯端末装置およびその表示制御方法に係り、特に、表示部の低消費電力を考慮したモードを有する携帯端末装置およびその表示制御方法に関するものである。
【背景技術】
【０００２】
待機時の消費電力を抑えるために、表示部および／またはキー操作部の低消費電力を考慮した低消費電力モードに遷移する携帯電話機等の携帯端末装置が知られている（たとえば特許文献１参照）。
【０００３】
特許文献１に記載されている携帯端末装置は、電池を電源として液晶等の表示部およびキー操作部を持つ携帯電話機である。
【０００４】
この携帯電話機は、電池残量を複数のレベルに区分してレベル値を割り付けた第１テーブルと、このレベル値に対応させてタイマカウント値を割りつけた第２テーブルと、このタイマカウント値に到達するまでの間、制御部によりバックラインを点灯させるものである。
【０００５】
具体的には、キー操作部でキー押下があったときの電池残量のレベル値を第１レベルを参照して判定し、レベル値が所定レベル値を超えているときには、バックラインを点灯させるとともに、第１および第２テーブルを参照して設定すべきタイマカウント値を読み出して制御部に設定する。
【０００６】
この携帯電話機によれば、特別に部品を追加することなく、またユーザが特に操作をすることなく自動的にバックライトを減光するか、あるいは最後のキー押下後短時間でバックラインとを消灯することから、電池の消費電力を効率的に抑制することができるという利点がある。
【特許文献１】特開２００２−７７３７８号公報
【発明の開示】
【発明が解決しようとする課題】
【０００７】
ところで、近年、メインの表示部の他に、ＬＣＤ（Ｌｉｑｕｉｄ  Ｃｒｙｓｔａｌ  Ｄｉｓｐｌａｙ）や有機ＥＬ（ＥｌｅｃｔｒｏＬｕｍｉｎｅｓｃｅｎｔ）ディスプレイのサブ表示部が、開閉自在な筐体が閉状態にあっても露出する位置に配置されている携帯電話機が提案され、実用に供されている。
【０００８】
そして、２つの表示部を有する携帯電話機における低消費電力化が望まれている。
【０００９】
特に、自発光型の有機ＥＬディスプレイをサブ表示部に採用した場合、液晶と比べてＥＬ自体が発光するために消費電力が増加することから、さらに効率的な消費電力化が必要となる。
【００１０】
また、有機ＥＬには寿命があるため、発光時間をできるだけ短時間とする必要がある。
【００１１】
しかしながら、特許文献１を含む従来の携帯電話機では、表示素子の寿命を考慮した表示制御についてはなんら考慮されていないのが現状である。
【００１２】
また、サブ表示部を設けた携帯電話機の場合、操作性等を考慮して、筐体が閉状態にあっても露出する位置に配置されている表示部と同一の筐体のである背面（露出面）に、表示部の表示状態を指示するために押下キー（スイッチ）が配置される。
【００１３】
この場合、背面にスイッチが配置されているために、たとえば鞄の中に閉状態で入れておいた場合等に、勝手にスイッチが押されてしまう可能性があり、その分無駄な電力を消
費してしまう。
【００１４】
しかしながら、上述した特許文献１を含む従来の携帯電話機では、このようなスイッチの誤操作に対する対策は行っておらず、背面に表示部およびスイッチを設けた構成とした場合であっても、意図しないスイッチの操作により無駄な電力を消費するおそれが大きい。
【００１５】
本発明は、かかる事情に鑑みてなされたものであり、その目的は、低消費電力に対応した効率の良い表示制御を行うことができ、また表示指定のための入力部の誤操作があったとしても無駄な電力の消費を防止することが可能な携帯端末装置およびその表示制御方法を提供することにある。
【課題を解決するための手段】
【００１６】
上記目的を達成するため、本発明の第１の観点は、複数の表示項目を表示可能な表示部と、上記表示部における表示状態を指定可能な入力部と、少なくとも上記表示項目の全てを表示する第１のパターンと、表示項目の一部を表示する第２のパターンとをもって上記表示部に表示項目の表示有りの状態で表示可能で、上記入力部が操作されるごとに、上記表示部の状態を上記第１のパターン、第２のパターン、および表示項目を表示しない表示無しの状態の第３のパターンをもって巡回的に遷移させる制御部とを有し、上記制御部は、上記第１のパターン、第２のパターン、または第３のパターンをもって上記表示部への表示を行っている場合、第１のパターン、第２のパターン、または第３のパターンの表示状態となってから所定時間の経過により強制的に表示無しの状態に遷移させる。
【００１７】
好適には、上記入力部は、第１の入力パターンおよび第２の入力パターンをもって上記表示部における表示状態を指定可能で、上記制御部は、上記入力部が上記第１の入力パターンをもって操作されるごとに、上記表示部の状態を上記第１のパターン、第２のパターン、および第３のパターンをもって巡回的に遷移させ、第１のパターン、第２のパターン、または第３のパターンの表示状態となってから所定時間の経過により強制的に表示無しの状態に遷移させた場合、上記入力部が第２の入力パターンをもって操作されると、上記表示部の状態を上記第１のパターンに遷移させる。
【００１８】
好適には、第１の筐体と第２の筐体が開閉自在に構成され、上記表示部および入力部は、上記第１の筐体と第２の筐体が閉状態にあっても露出する位置に配置されている。
【００１９】
好適には、第１の筐体と第２の筐体が開閉自在に構成され、上記表示部および入力部は、上記第１の筐体と第２の筐体が閉状態にあっても露出する位置に配置され、上記制御部は、第１のパターン、第２のパターン、または第３のパターンの表示状態となってから所定時間の経過により強制的に表示無しの状態に遷移させた場合、上記第１の筐体と第２の筐体の閉動作によって上記表示部の状態を上記第１のパターンに遷移させる。
【００２０】
好適には、上記入力部は、キーの押下操作により表示部における表示状態を指定可能である。
【００２１】
好適には、上記入力部はキーの押下操作により表示部における表示状態を指定可能であり、上記第１の入力パターンおよび第２の入力パターンは、キーの押下時間が異なり、第２の入力パターンにおけるキーの押下時間は、上記第１の入力パターンのキーの押下時間により長く設定されている。
【００２２】
本発明の第２の観点は、表示部に表示する表示項目を表示する携帯端末装置の表示制御方法であって、所定の条件でフラグを付す第１ステップと、上記フラグの有無を判別する
第２ステップと、上記第２ステップにおいてフラグ有りと判別した場合には、少なくとも上記表示項目の全てを表示する第１のパターンと、表示項目の一部を表示する第２のパターンとの表示有りの状態と、表示項目を表示しない第３のパターンとする表示無しの状態とを、キーを操作するごとに巡回的に遷移させる第３ステップとを有する。
【００２３】
好適には、上記第１ステップにおける所定の条件が、キーの長押しである。
【００２４】
好適には、上記第１ステップにおける所定の条件が、筐体の閉動作である。
【００２５】
また、好適には、上記表示有り状態、または上記表示有り状態からキー操作により上記表示無し状態に遷移させた状態において、所定時間経過するとフラグ無しにする第４ステップをさらに有する。
【発明の効果】
【００２６】
本発明によれば、低消費電力に対応した効率の良い表示制御を行うことができる。
【００２７】
また、表示指定のための入力部の誤操作があったとしても無駄な電力の消費を防止することができる利点がある。
【発明を実施するための最良の形態】
【００２８】
以下、本発明の実施形態を添付図面に関連付けて説明する。
【００２９】
図１は、発明に係る携帯端末装置の表示制御方法を採用した携帯電話機の一実施形態を示すシステム構成図である。
【００３０】
また、図２は、本実施形態に係る携帯電話機の開状態における外観の一例を示す斜視図であり、図３は、本実施形態に係る携帯電話機の閉状態における外観の一例を示す斜視図である。
【００３１】
本実施形態に係る携帯電話機１００は、図１に示すように、電池からなる電源部１０１、送受信アンテナ１０２ａを含む通信処理部１０２、メモリ１０３、キー入力部１０４、撮像部１０５、開閉検知部１０６、メイン表示部１０７、スピーカ１０８ａおよびマイクロフォン１０８ｂとを含む音声処理部１０８、サブ表示部１０９、入力部としての背面キー１１０、および制御部１１１を有している。
【００３２】
図２および図３に示すように、携帯電話機１００は、第１の筐体１１２と第２の筐体１１３とが、ヒンジを含む可動機構部１１４により開閉自在に構成されている。
【００３３】
第１の筐体１１２は、可動機構部１１４の近傍に送受信アンテナ１０２ａが配置され、その正面側１１２ａには、図２に示すように、キー入力部１０４と、マイクロフォン１０８ｂと、開閉検知部１０６の第１スイッチ部１０６ａが配置されている。マイクロフォン１０８ｂはキー入力部１０４の下部に配置され、第１スイッチ部１０６ａはキー入力部１０４の図中右側上部に配置されている。
【００３４】
第２の筐体１１３の正面側１１３ａには、図２に示すように、メイン表示部１０７と、スピーカ１０８ａと、開閉検知部１０６の第１スイッチ部１０６ａと閉状態時に対向する第２スイッチ部１０６ｂが配置されている。スピーカ１０８ａはメイン表示部１０７の上部に配置され、第２スイッチ部１０６ｂはメイン表示部１０７の右側下部に配置されている。
【００３５】
第２の筐体１１３の背面側１１４ａには、図３に示すように、ハーフミラー１１５が配置され、そのハーフミラー１１５内にサブ表示部１０９が配置され、サブ表示部１０９の近傍にプッシュスイッチからなる背面キー１１０が配置され、また可動機構部１１４の近傍に、撮像部１０５の対物レンズを含む光学系１０５ａ、およびフラッシュランプ１０５
ｂが配置されている。
【００３６】
このように、サブ表示部１０９および背面キー１１０は、第１の筐体１１２と第２の筐体１１３が開状態、閉状態にかかわらず、露出する位置である携帯電話機１００の第２の筐体１１３の背面側１１３ａに配置されている。
【００３７】
電源部１０１は、電池を含み、図１に示す各構成部に所定の駆動電力を供給する。
【００３８】
また、電源部１０１から供給される電力は、構成部に応じて制御部１１１によって制御される。たとえばメイン表示部１０７やサブ表示部１０９の表示状態に応じて制御部１１１によって電力供給が制御される。
【００３９】
通信処理部１０２は、電波を利用した無線通信を行うために、制御部１１１で処理された画像データ、音声情報、電子メール等の各種情報を変調して送受信アンテナ１０２ａを通して図示しない基地局を含む通信網に送信する。
【００４０】
また、通信処理部１０２は、管理センタから通信網を介して送信されてくる画像データ、音声情報、電子メール等を送受信アンテナ１０２ａを通して受信し、受信した各種情報を復調して制御部１１１に出力する。
【００４１】
メモリ１０３は、ＥＥＰＲＯＭ等の不揮発性メモリを含み、たとえば撮像部１０５により撮影され、圧縮された画像データを格納する。
【００４２】
キー入力部１１４は、終了（終話）／電源キー、開始（発呼）キー、数字等に対応した複数のテンキー等を有し、これらのキーが操作されることにより、ユーザからの入力情報を制御部１１１に供給する。
【００４３】
撮像部１０５は、被写体像を取り込むための対物レンズを含む光学系１０５ａと、光学系により結像された被写体の像を電気信号に変換する撮像素子を含む撮像処理回路とを有する。
【００４４】
撮像部１０５は、制御部１１１により第１の制御信号ＣＴＬ１を受けて撮影動作を行う。
【００４５】
撮像部１０５の光学系１０５ａは、たとえば図３に示すように、ユーザから見て相手側が撮影できるように、携帯電話機１００の第２の筐体１１３の背面側に配置され、撮像処理回路の撮像素子の受光面上に被写体の光学像を結像する。
【００４６】
撮像部１０５による撮像は、たとえばキー入力部１０４に配置され、撮像キーとして割り当てられた所定のキー操作により開始される。このとき、撮像部１０５は、たとえば制御部１１１の制御に従って、撮像時にフラッシュランプ１０５ｂを点灯させる。
【００４７】
撮像処理回路は、光学系により結像された被写体の光学像を電気信号に変換する。
【００４８】
具体的には、撮像処理回路において、被写体の像は、撮像素子の２次元平面上に画素単位で配置される複数の受光素子により受光される。その際、受光素子上のカラーフィルタを通して、色の情報を光３原色（Ｒ，Ｇ，Ｂ）に分解して取り込む。
【００４９】
そして、撮像処理回路は、各画素の輝度値が電圧に変換し、順にアナログ／デジタル（Ａ／Ｄ）変換器によってデジタルデータに変換して、制御部１１１に供給する。
【００５０】
なお、撮像素子としては、たとえばＣＣＤやＣＭＯＳセンサが適用される。
【００５１】
開閉検知部１０６は、第１の筐体１１２と第２の筐体１１３が開状態にあるか閉状態にあるかを検知し、検知結果を検知信号Ｓ１０６として制御部１１１に出力する。
【００５２】
メイン表示部１０７は、液晶表示装置（ＬＣＤ）や有機ＥＬ等の表示デバイスを有し、
通話機能のために入力した電話番号や各種メッセージ、テキストデータ等を表示する。
【００５３】
また、撮影モードにおいて、撮像部１１５により得られた被写体の画像がメイン表示部１０７に表示される。
【００５４】
メイン表示部１０７は、開閉検知部１０６の検知信号Ｓ１０６が、第１の筐体１１２と第２の筐体１１３が開状態にある旨を示しているときに、制御部１１１により点灯するように制御される。
【００５５】
音声処理部１０８は、音声処理回路を有し、通話機能のために音声出力を行うスピーカ１０８ａと、音声入力を行うマイクロフォン１０８ｂとが接続されている。
【００５６】
音声処理部１０８は、無線通信モードにおいて、マイクロフォン１０８ｂにより収音した音声に対して所定の処理を行って制御部１１１に出力する。
【００５７】
音声処理部１０８は、制御部１１１により供給された音声情報に対して所定の処理を行ってスピーカ１０８ａから放音させる。
【００５８】
サブ表示部１０９は、たとえば有機ＥＬディスプレイデバイスにより構成され、第２の筐体１１３の背面側１１３ａに内蔵するように設けられている。
【００５９】
なお、有機ＥＬディスプレイとは、電気光学素子としての有機ＥＬ素子がマトリクス状に配列され、この有機ＥＬ素子が自発光して可視状態となるため、バックライトを必要とせず、低消費電力デバイスとして用いられているが、表示されている面積分の発光がなされることもあり、表示させる面積が少ない方が消費電力は低下するという特徴を持つ。
【００６０】
サブ表示部１０９は、制御部１１１の制御に従って、複数の表示項目を表示可能である。サブ表示部１０９は、表示項目の全てを表示する第１のパターンと、表示項目の一部を表示する第２のパターンと、表示項目を表示しない表示無しの状態の第３のパターンを、背面キー１１０が押下されるごとに巡回的に切り替えて表示する。
【００６１】
サブ表示部１０９に表示される第１のパターンには、時刻を表示する時刻表示領域や日時を表すカレンダー表示領域と、携帯電話機１００の状態表示領域とを全表示領域を使用して表示する図４中Ａで示すパターンが含まれる。
【００６２】
また、第２のパターンとしては、Ａにて示されていた各表示領域のうち最も面積の大きい時計表示領域を消灯するとともに、カレンダーで使用していたカレンダー表示領域をカレンダーに代えて携帯電話機１００の設定状況に変更し、携帯電話機１００の状態表示領域については表示を継続させるという、部分的に不使用な領域を設ける図４中Ｂで示すようパターンが含まれる。さらに、第２のパターンには、図４のパターンＢからさらにカレンダー表示領域についても消灯し、携帯電話機１００の状態表示領域については表示を継続させるという、部分的に不使用な領域を拡大した図４中Ｃで示すようなパターンも含まれる。
【００６３】
第３のパターンとしては、図４のパターンＣからさらに携帯電話機１００の状態表示領域についても消灯して全ての表示領域を消灯する図４中Ｄで示すようなパターンが含まれる。
【００６４】
サブ表示部１０９の表示は、背面キー１１０が押下されるごとに切り替わるが、図４中、Ａ〜Ｄに示すパターンを表示している場合に、所定時間、たとえば１０秒間背面キー１１０が押下（操作）されない場合には、制御部１１１の制御の下、タイムアウトとして強制的に消灯（表示無しの状態に遷移）される。
【００６５】
サブ表示部１０９は、タイムアウトとして強制的に消灯（表示無しの状態に遷移）された後に、たとえば開閉検知部１０６の検知信号Ｓ１０６を新たに検出したときに第１パターンをもって表示するように点灯制御される。なお、第１の筐体１１２と第２の筐体１１３とが閉状態のときに、サブ表示部１０９がタイムアウトして強制的に消灯された場合には、一旦開状態にした後、再び閉状態になされると、新たに検知信号Ｓ１０６の入力を検知できるため、サブ表示部１０９は第１のパターンをもって表示するように点灯制御され
る。
【００６６】
背面キー１１０は、制御部１１１により入力の有効無効が制御され、有効として制御されているとき、キーの押下操作により図４に示すようなサブ表示部１０９における表示状態（表示パターン）を指定可能である。
【００６７】
背面キー１１０は、第１の入力パターンおよび第２の入力パターンにより入力することが可能である。
【００６８】
第１の入力パターンは、キーの押下操作により図４に示すようなサブ表示部１０９における表示状態を指定する入力パターンであり、通常のキー押下（短時間の押下）により表示パターンを指定する。
【００６９】
第２の入力パターンは、第１の入力パターンによりキー押下時間が長い入力パターンであり、たとえば背面キー１１０を長く押下（たとえば２秒以上）する入力パターンでる。
【００７０】
背面キー１１０を長く押下すると、制御部１１１がキーフラグをセットして背面キー１１０の入力を有効とする。
【００７１】
また、タイムアウトによりサブ表示部１０９に表示していた第１のパターン、第２のパターン、または第３のパターンの表示状態となってから強制的に消灯（表示無しの状態）に遷移させた場合に、背面キー１１０を長押しすると、サブ表示部１０９には制御部１１１に制御に従って、第１のパターン、すなわち、図４中Ａで示すような、時刻や日時を示すカレンダー表示と携帯電話機１００の状態表示とを含むパターンをもって表示するように点灯制御される。
【００７２】
制御部１１１は、マイクロコンピュータを主体として構成され、携帯電話機１００の全体の制御を行う。
【００７３】
たとえば、制御部１１１は、通信処理部１０２における各種情報の無線による送受信の制御、第２の制御信号ＣＴＬ２による撮像部１０５の撮影制御、第１の制御信号ＣＴＬ１による音声処理部１０８に対する音声情報の処理、メイン表示部１０７への情報の表示および点灯制御、サブ表示部１０９への点灯表示制御、キー入力部１０４の入力情報に応じた処理、メモリ１０３に対するアクセス制御等を行う。
【００７４】
制御部１１１は、たとえば開閉検知部１０６の検知信号Ｓ１０６が、第１の筐体１１２と第２の筐体１１３が開状態にある旨を示しているときに無線通信モードとなって、メイン表示部１０７の点灯および表示制御を行う。このとき、制御部１１１は、サブ表示部１０９を消灯状態に制御する。
【００７５】
無線通信モードは、通信処理部１０２を通して無線通信が可能なモードであり、制御部１１１は、表示部１１７に電源起動直後の標準画面（いわゆる待ち受け画面）を表示させる。無線通信モードにおいては、キー入力部１０４の操作により発呼動作等を行うことが可能である。
【００７６】
制御部１１１は、背面キー１１０が長押下されずキーフラグをセットしていない場合には、サブ表示部１０９を消灯状態に制御し、また、背面キー１１０の入力を受け付けない。
【００７７】
制御部１１１は、背面キー１１０が長押下されると、キーフラグをセットして、サブ表示部１０９が点灯するように制御し、まず、サブ表示部１０９に第１のパターン（図４のＡのパターンをもって表示するように制御し、キーフラグがセットされている間は、背面キー１１０の入力を有効であるとして受け付ける。
【００７８】
制御部１１１は、キーフラグがセットされている状態で、背面キー１１０の第１のパターンの表示から１０秒以内に背面キー１１０が押下されると、第２のパターン（図４のＢのパターン）の表示に切り替え、第２のパターンを表示するために背面キー１１０が押下されてから１０秒以内に背面キー１１０が押下されると他の第２のパターン（図４のＣの
パターン）の表示に切り替え、第２のパターンを表示するために背面キー１１０が押下されてから１０秒以内に背面キー１１０が押下されると第３のパターン（図４のＤのパターン）の表示に切り替え、第３のパターンを表示するために背面キー１１０が押下されてから１０秒以内に背面キー１１０が押下されると第１のパターン（図４のＡのパターン）の表示に切り替える。
【００７９】
すなわち、制御部１１１は、キーフラグがセットされていて、サブ表示部１０９に第１のパターンを表示した後に、１０秒以内に背面キー１１０が押下されると、図４に示すＡ〜Ｄの４つのパターンを巡回的に表示させる。
【００８０】
制御部１１１は、キーフラグがセットされていて、背面キー１１０が押下されるごとにサブ表示部１０９に図４中、Ａ〜Ｄに示す各パターンを表示している場合に、所定時間、たとえば１０秒間以上、背面キー１１０が押下（操作）されない場合には、タイムアウトとしてキーフラグをリセットして強制的に消灯（表示無しの状態に遷移）させる。
【００８１】
制御部１１１は、このようにサブ表示部１０９をタイムアウトとして強制的に消灯（表示無しの状態に遷移）させた後に、たとえば第１の筐体１１２と第２の筐体１１３が閉状態にある旨を示す開閉検知部１０６の検知信号Ｓ１０６を入力したときには、キーフラグをセットして第１のパターンをもって表示するように点灯制御する。
【００８２】
すなわち、制御部１１１は、無線通信モードの処理を終了し、第１の筐体１１２と第２の筐体１１３があわさるように閉状態とされると、キーフラグをセットして、サブ表示部１０９にカレンダー表示を含む第１のパターンをもって表示させる。
【００８３】
次に、本実施形態に係る携帯電話機の動作を、図４、および図５のフローチャートに関連付けて、サブ表示部および背面キーの制御を中心に説明する。
【００８４】
ユーザが通話あるいはメール転送を行おうとして、閉状態にある第１の筐体１１２と第２の筐体１１３を開状態とすると、開閉検知部１０６から検知信号Ｓ１０６が入力されないため、第１の筐体１１２と第２の筐体１１３が開状態にあると、制御部１１１により判定される。
【００８５】
これにより、制御部１１１は、無線通信モードとなって、メイン表示部１０７の点灯および表示制御を行う。このとき、制御部１１１は、サブ表示部１０９を消灯状態に制御する。
【００８６】
無線通信モードにおいて、制御部１１１は、表示部１１７に電源起動直後の標準画面（いわゆる待ち受け画面）を表示させる、そして、ユーザのキー入力部１０４の操作により発呼動作等が行われる。
【００８７】
ユーザが所望する処理を終了し、開状態にある第１の筐体１１２と第２の筐体１１３を閉状態とすると、開閉検知部１０６から第１の筐体１１２と第２の筐体１１３が閉状態になった旨を示す検知信号Ｓ１０６が、制御部１１１に入力される。
【００８８】
検知信号Ｓ１０６を受けた制御部１１１は、無線通信モードの処理を終了し、第１の筐体１１２と第２の筐体１１３があわさるように閉状態とされたものとして、まず、キーフラグをセットして、サブ表示部１０９にカレンダー表示を含む第１のパターンをもって表示させる。
【００８９】
このときユーザが、背面キー１１０を操作することなく、携帯電話機１００を鞄やポケットにしまった場合には、背面キー１１０が第１の入力パターンをもって１０秒以上押下（操作）されないことから、制御部１１１は、タイムアウトとして、キーフラグをリセットしてサブ表示部１０９を消灯状態に遷移させる。
【００９０】
ここで、ユーザが鞄やポケットから携帯電話機１００を取り出し、サブ表示部１０９の表示を確認する場合には、まず、サブ表示部１０９が表示無し状態（消灯状態）に制御されていることから（ＳＴ１）、背面キー１１０を長押下する。
【００９１】
背面キー１１０が長押下されたことから、制御部１１１は、キーフラグをセットする。そして、キーフラグがセットされている状態で、背面キー１１０の図４の第１のパターンの表示から１０秒以内に背面キー１１０が押下されると、制御部１１１は、図４Ｂのパターンの表示に切り替える。
【００９２】
同様に、図４Ｂのパターンを表示するために背面キー１１０が押下されてから１０秒以内に背面キー１１０が押下されると図４Ｃのパターンの表示に切り替え、図４Ｃのパターンを表示するために背面キー１１０が押下されてから１０秒以内に背面キー１１０が押下されると図４Ｄのパターンの表示に切り替え、図４Ｄのパターンを表示するために背面キー１１０が押下されてから１０秒以内に背面キー１１０が押下されると図４Ａのパターンの表示に切り替える（ＳＴ３，ＳＴ４）。
【００９３】
制御部１１１は、キーフラグがセットされていて、背面キー１１０が押下されるごとにサブ表示部１０９に図４中、Ａ〜Ｄに示す各パターンを表示している場合に、１０秒間以上、背面キー１１０が押下（操作）されない場合には、タイムアウトとしてキーフラグをリセットして強制的に消灯（表示無しの状態に遷移）させる（ＳＴ５）。
【００９４】
このように、本実施形態においては、第１の筐体１１２と第２の筐体１１３が閉状態とされると、キーフラグをセットしてサブ表示部１０９を一旦所定のパターンで表示させるものの、１０秒以上、サブ表示部１０９に所定のパターンを表示を指定する背面キー１１０の操作がないと強制的にキーフラグをリセットしてタイムアウトとしてキーフラグをリセットして強制的に消灯（表示無しの状態に遷移）させることから、低消費電力に対応した効率の良い表示制御を行うことができ、また発光時間を短くできる利点がある。
【００９５】
また、たとえば鞄の中に閉状態で入れておいた場合等に、勝手にスイッチが押されてしまったとしても、１０秒以上、背面キー１１０の操作がないと強制的にキーフラグをリセットしてタイムアウトとしてキーフラグをリセットして強制的に消灯させ、長押下または新たに検知信号Ｓ１０６を検出しない限り表示無しの状態を維持することから、その分無駄な電力を消費することもなく、無駄な発光時間を短くすることができる。
【００９６】
特に、自発光型の有機ＥＬディスプレイをサブ表示部に採用した場合、液晶と比べてＥＬ自体が発光するために消費電力が増加することから、本発明を適用することにより、さらに効率的な消費電力化が実現できる。
【００９７】
また、有機ＥＬには寿命があるが、発光時間をできるだけ短時間とすることができることから、表示素子の寿命を延ばすことが可能となる。
【図面の簡単な説明】
【００９８】
【図１】発明に係る携帯端末装置の表示制御方法を採用した携帯電話機の一実施形態を示すシステム構成図である。
【図２】本実施形態に係る携帯電話機の開状態における外観の一例を示す斜視図である。
【図３】図３は、本実施形態に係る携帯電話機の閉状態における外観の一例を示す斜視図である。
【図４】本実施形態に係るサブ表示部の表示パターンおよび表示制御を説明するための図である。
【図５】本実施形態に係る動作を説明するためのフローチャートである。
【符号の説明】
【００９９】
１００…携帯電話機、１０１…電源部、１０２…通信処理部、１０３…メモリ、１０４…キー入力部、１０５…撮像部、１０６…開閉検知部、１０７…メイン表示部、１０８…音声処理部、１０９…サブ表示部、１１０…背面キー、１１１…制御部。
【図１】
2008228358.tif 000003
【図２】
2008228358.tif 000004
【図３】
2008228358.tif 000005
【図４】
2008228358.tif 000006
【図５】
2008228358.tif 000007
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
開閉可能な筐体と、
上記筐体の、開閉状態にかかわらず表面に露出する位置に設けられるハーフミラー部と、
上記筐体の、上記ハーフミラー部に覆われる位置に設けられる自発光表示器と、
上記自発光表示器に対して、第1の情報を含む複数の項目を含む表示である第1のパターンと、上記第1のパターンと異なる項目を表示する第２のパターンと、表示を行わない第３のパターンと、を切り替え制御可能な制御部と、
上記筐体の、開閉状態にかかわらず表面に露出する位置に設けられ、上記第１のパターンと第２のパターンと第３のパターンの切り換え指示を行う入力部と、を備え、
上記制御部は、上記自発光表示器が表示を行っていない状態下で開状態から閉状態への遷移が生じると、上記自発光表示器に上記第1のパターンで自発光表示させる
ことを特徴とする携帯電子機器。
【請求項２】
上記制御部は、上記第１のパターンまたは第２のパターンをもって上記自発光表示部への表示を行っている場合、それぞれ第１のパターンまたは第２のパターンの表示状態となってから所定時間の経過により強制的に表示無しの状態に遷移させる
ことを特徴とする請求項１に記載の携帯電子機器。
【請求項３】
上記制御部は、上記自発光表示部を上記第１のパターンと第２のパターンと第３のパターンとの切り換えは、上記入力部に対する短押下にて行う
ことを特徴とする請求項１または２に記載の携帯端末機器。
【請求項４】
上記制御部は、上記自発光表示部を上記強制的な表示無しの状態に遷移させた場合、上記入力部が短押下されても上記自発光表示部について表示無しの状態を維持し、長押下されると上記自発光表示部の状態を上記第１のパターンに遷移させる
ことを特徴とする請求項１から３のいずれか一項に記載の携帯電子機器。
【請求項５】
上記第１のパターンは、第１項目と第２項目とを含む複数の項目を表示し、
上記第２のパターンは、上記表示項目のうち、上記第１項目を含み上記第２項目を含まない表示を行うパターンであり、
上記制御部は、上記入力部の短押下により、上記第１のパターンから第２のパターンに遷移される場合において、上記第１項目の表示位置が維持される
ことを特徴とする請求項１から４のいずれか一項に記載の携帯電子機器。
【請求項６】
上記第１項目は自装置の状態の表示であり、上記第２項目は時刻あるいはカレンダーの表示である
ことを特徴とする請求項５に記載の携帯電子機器。
【請求項７】
開閉可能に構成された筐体と、当該筐体に対して開閉状態にかかわらず表面に露出する位置に設けられるハーフミラー部と、当該ハーフミラー部に覆われる位置に設けられる自発光表示器と、当該筐体に対して開閉状態にかかわらず表面に露出する位置に設けられる入力部と、をそれぞれ備える携帯電子機器における表示制御方法であって、
第1の情報を含む複数の項目を含む表示である第1のパターンと、上記第1のパターンと異なる項目を表示する第２のパターンと、表示を行わない第３のパターンとのいずれかにより上記自発光表示器を表示制御するステップと、
上記入力部に対する操作が生じると、上記第１のパターンと第２のパターンと第３のパターンのうち、現在のパターンから他のパターンへの切り換えを行うステップと、
上記自発光表示器が表示を行っていない状態下で、開状態から閉状態への遷移が生じると、上記自発光表示器に対して強制的に上記第1のパターンによる自発光表示を行わせるよう切り替えるステップと、
を有することを特徴とする携帯電子機器の表示制御方法。
【手続補正３】
【補正対象書類名】明細書
【補正対象項目名】００１５
【補正方法】変更
【補正の内容】
【００１５】
本発明は、かかる事情に鑑みてなされたものであり、その目的は、低消費電力に対応した効率の良い表示制御を行うことができ、また表示指定のための入力部の誤操作があったとしても無駄な電力の消費を防止することが可能な携帯電子機器およびその表示制御方法を提供することにある。
【手続補正４】
【補正対象書類名】明細書
【補正対象項目名】００１６
【補正方法】変更
【補正の内容】
【００１６】
上記目的を達成するため、本発明の第１の観点は、開閉可能な筐体と、上記筐体の、開閉状態にかかわらず表面に露出する位置に設けられるハーフミラー部と、上記筐体の、上記ハーフミラー部に覆われる位置に設けられる自発光表示器と、上記自発光表示器に対して、第1の情報を含む複数の項目を含む表示である第1のパターンと、上記第1のパターンと異なる項目を表示する第２のパターンと、表示を行わない第３のパターンと、を切り替え制御可能な制御部と、上記筐体の、開閉状態にかかわらず表面に露出する位置に設けられ、上記第１のパターンと第２のパターンと第３のパターンの切り換え指示を行う入力部と、を備え、上記制御部は、上記自発光表示器が表示を行っていない状態下で開状態から閉状態への遷移が生じると、上記自発光表示器に上記第1のパターンで自発光表示させることを特徴とする。
【手続補正５】
【補正対象書類名】明細書
【補正対象項目名】００１７
【補正方法】変更
【補正の内容】
【００１７】
好適には、上記制御部は、上記第１のパターンまたは第２のパターンをもって上記自発光表示部への表示を行っている場合、それぞれ第１のパターンまたは第２のパターンの表示状態となってから所定時間の経過により強制的に表示無しの状態に遷移させることを特徴とする。
【手続補正６】
【補正対象書類名】明細書
【補正対象項目名】００１８
【補正方法】変更
【補正の内容】
【００１８】
好適には、上記制御部は、上記自発光表示部を上記第１のパターンと第２のパターンと第３のパターンとの切り換えは、上記入力部に対する短押下にて行う。
【手続補正７】
【補正対象書類名】明細書
【補正対象項目名】００１９
【補正方法】変更
【補正の内容】
【００１９】
好適には、上記制御部は、上記自発光表示部を上記強制的な表示無しの状態に遷移させた場合、上記入力部が短押下されても上記自発光表示部について表示無しの状態を維持し、長押下されると上記自発光表示部の状態を上記第１のパターンに遷移させる。
【手続補正８】
【補正対象書類名】明細書
【補正対象項目名】００２０
【補正方法】変更
【補正の内容】
【００２０】
好適には、上記第１のパターンは、第１項目と第２項目とを含む複数の項目を表示し、
上記第２のパターンは、上記表示項目のうち、上記第１項目を含み上記第２項目を含まない表示を行うパターンであり、上記制御部は、上記入力部の短押下により、上記第１のパターンから第２のパターンに遷移される場合において、上記第１項目の表示位置が維持される。
【手続補正９】
【補正対象書類名】明細書
【補正対象項目名】００２１
【補正方法】変更
【補正の内容】
【００２１】
好適には、上記第１項目は自装置の状態の表示であり、上記第２項目は時刻あるいはカレンダーの表示である。
【手続補正１０】
【補正対象書類名】明細書
【補正対象項目名】００２２
【補正方法】変更
【補正の内容】
【００２２】
本発明の第２の観点は、開閉可能に構成された筐体と、当該筐体に対して開閉状態にかかわらず表面に露出する位置に設けられるハーフミラー部と、当該ハーフミラー部に覆われる位置に設けられる自発光表示器と、当該筐体に対して開閉状態にかかわらず表面に露出する位置に設けられる入力部と、をそれぞれ備える携帯電子機器における表示制御方法であって、第1の情報を含む複数の項目を含む表示である第1のパターンと、上記第1のパターンと異なる項目を表示する第２のパターンと、表示を行わない第３のパターンとのいずれかにより上記自発光表示器を表示制御するステップと、上記入力部に対する操作が生じると、上記第１のパターンと第２のパターンと第３のパターンのうち、現在のパターンから他のパターンへの切り換えを行うステップと、上記自発光表示器が表示を行っていない状態下で、開状態から閉状態への遷移が生じると、上記自発光表示器に対して強制的に上記第1のパターンによる自発光表示を行わせるよう切り替えるステップと、を有することを特徴とする。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】